(57)【要約】  【課題】本発明は、アクセス権を設定した掲示板、電子ニュースなどの利用者投稿型ページにおいて、変更権限を有する場合には投稿内容の更新を許可し、更新前の投稿内容の閲覧者に対しては、以前に閲覧した内容が更新された旨を自動的に通知する。  【解決手段】投稿記事の投稿／閲覧／更新を許可するアクセス権の登録ステップと、現投稿記事の閲覧記録を行う記録ステップと、現投稿記事を更新するとともに前記現投稿記事が更新されたことを前記閲覧記録に記録された前記現投稿記事の閲覧者の電子メールアドレスに対して電子メールにより通知する投稿記事更新通知ステップとを有する。【選択図】図１
2005332262.tif 000002
【特許請求の範囲】
【請求項１】
ネットワークを介した投稿記事の更新方法であって、
投稿記事の投稿／閲覧／更新を許可するアクセス権の登録ステップと、
現投稿記事の閲覧記録を行う記録ステップと、
現投稿記事を更新するとともに前記現投稿記事が更新されたことを前記閲覧記録に記録された前記現投稿記事の閲覧者の電子メールアドレスに対して電子メールにより通知する投稿記事更新通知ステップとを有することを特徴とするネットワークを介した投稿記事の更新方法。
【請求項２】
前記アクセス権の登録ステップにおける登録情報は前記アクセス権を有する識別子、パスワード、前記アクセス権、及び前記電子メールアドレスを含むことを特徴とする請求項１に記載のネットワークを介した記事の更新方法。
【請求項３】
前記投稿記事更新通知ステップは、前記現投稿記事の掲載期間が所定期間に達しないとき、前記現投稿記事以前の投稿記事の掲載期間を含めた合計掲載期間が前記所定期間となる時点以降の閲覧記録に記録された閲覧者の電子メールアドレスに対して電子メールにより更新のあった旨を通知することを特徴とする請求項１に記載のネットワークを介した記事の更新方法。
【請求項４】
ネットワークを介した投稿記事の更新装置であって、
投稿記事の投稿／閲覧／更新を許可するアクセス権の登録手段と、
現投稿記事の閲覧記録を行う記録手段と、
現投稿記事を更新するとともに前記現投稿記事が更新されたことを前記閲覧記録に記録された前記現投稿記事の閲覧者の電子メールアドレスに対して電子メールにより通知する投稿記事更新通知手段とを有することを特徴とするネットワークを介した投稿記事の更新装置。
【請求項５】
ネットワークを介した投稿記事の更新プログラムであって、コンピュータに、
投稿記事の投稿／閲覧／更新を許可するアクセス権の登録機能と、
現投稿記事の閲覧記録を行う閲覧記録機能と、
現投稿記事を更新するとともに前記前投稿記事が更新されたことを前記閲覧記録に記録された前記現投稿記事の閲覧者の電子メールアドレスに対して電子メールにより通知する投稿記事更新通知機能とを実現させるためのネットワークを介した投稿記事の更新プログラム。
【発明の詳細な説明】
【技術分野】
【０００１】
本発明は、インターネットにおける掲示板、電子ニュースなどの投稿記事の更新に関する。
【背景技術】
【０００２】
従来、インターネットにおける掲示板、電子ニュース等の利用者投稿型のＷｅｂページにおいて、通常、いったん投稿した内容を変更したい場合、投稿内容を削除して再度投稿し直す方法がとられていた。
【０００３】
例えば、投稿者が自分のパーソナル・コンピュータをインターネットに接続し、ブラウザに表示された該当ホームページの投稿ページにおいて、「投稿」アイコンをクリックすると、投稿記事入力画面が表示される。投稿者は、投稿記事入力画面に必要内容を入力した後、「投稿する」と表示されたボタンを押すと、登録されて新たな投稿記事として表示される。ここで、一般的には、いったん投稿された記事を変更したくても変更できず、投稿された記事を投稿ページの管理者の権限あるいは投稿者がパスワードを使って記事を削除して新たに記事を投稿する方法、あるいは、既に投稿された記事はそのままにして新たな記事として投稿し直す方法がとられている。どちらの方法にしても再度投稿し直さなければならず、投稿ページを特定のメンバーが閲覧したり、メンバー間で共同運用しようとしたい場合、自由度がなく不便さを感ずることがある。
【０００４】
ここで、例えば、特開平１０−３２６２５７には、電子掲示板システムにおいて、掲示文書の作成者が許可した場合には、掲示文書の作成者以外の者が掲示文書を加筆修正できるようにした方法が開示されている。この方法においては、掲示文書を閲覧した人は後で変更のあったことを知らずに時が過ぎてしまうということが考えられる。
【０００５】
また、特開２００２−２４５３５１には、ネットワーク上で個人情報の追加、変更、削除を個人、管理者が変更できるシステムが開示されている。このシステムにおいても、上記と同様に掲示文書を閲覧した人は後で変更のあったことを知らずに時が過ぎてしまうということが考えられる。
【０００６】
さらに、特開平０３−０７０２３３には、電子掲示板に新たなメッセージが書き込まれたことを登録された人に自動的に通知することにより、ユーザによる電子掲示板の検索を不要にする方法が開示されている。この方法においては、電子掲示板に新たなメッセージが書き込まれたことを通知するが、電子掲示板に投稿した内容を変更できるようになってはいない。
【０００７】
以上のように、例えば、利用者投稿型のＷｅｂページにおいて、特に、Ｗｅｂページを会員制若しくは限られたグループのメンバーが使用しようとする場合には、投稿者以外の会員、メンバーによる変更、追記などをしたいときがあるが、いったん投稿された記事について変更が行えるようにすると、投稿された記事に対して変更があったことを既に変更前の投稿記事を閲覧した人にだけは通知しておきたい場合もある。
【特許文献１】特開平１１−１８５３１６号公報
【特許文献２】特開２０００−２６８４４１号公報
【特許文献３】特開平１０−２１６０１号公報
【発明の開示】
【発明が解決しようとする課題】
【０００８】
上記のように、従来の掲示板、電子ニュース等の利用者投稿型ページの内容を更新したい場合、通常、投稿された記事を投稿ページの管理者の権限あるいは投稿者がパスワードを使って記事を削除して新たな記事を投稿する方法、あるいは、既に投稿された記事はそのままにして新たな記事を投稿し直す方法がとられていた。これらいずれの方法においても、再度、投稿し直さなければならず、また、閲覧する人にとっては新たな投稿記事と以前の投稿記事との違いや関連性を把握しにくかったり、新たな投稿記事を読まない以前の投稿記事を閲覧した人にとっては、例えば、誤りを含んでいた以前の投稿記事による情報をそのまま持ち続けることとなる。
【０００９】
本発明は、アクセス権を設定した掲示板、電子ニュースなどの利用者投稿型ページにおいて、変更権限を有する場合には投稿内容の更新を許可し、更新直前の投稿内容の閲覧者に対しては、以前に閲覧した内容が更新された旨を自動的に通知されることを目的とする。
【課題を解決するための手段】
【００１０】
本願の請求項１に記載の発明は、ネットワークを介した投稿記事の更新方法であって、投稿記事の投稿／閲覧／更新を許可するアクセス権の登録ステップと、現投稿記事の閲覧記録を行う記録ステップと、現投稿記事を更新するとともに前記現投稿記事が更新されたことを前記閲覧記録に記録された前記現投稿記事の閲覧者の電子メールアドレスに対して電子メールにより通知する投稿記事更新通知ステップとを有することを特徴とするネットワークを介した投稿記事の更新方法である。
【００１１】
本願の請求項１に記載の発明によれば、アクセス権を設定した掲示板、電子ニュースなどの利用者投稿型ページにおいて、変更権限を有する人には投稿内容の更新を許可し、更新された旨の通知を更新直前の投稿内容の閲覧者に電子メールにて通知する。すなわち、投稿内容が更新されたら、更新前の内容にアクセスした人に対し更新があった旨の通知に加えて、必要に応じ、更新内容の送付／更新の理由等をも通知する。
【００１２】
Ｗｅｂブラウザにおいて投稿内容を入力し、あるいは、電子メールで配信された情報を自動で取り込むといった方法による投稿型Ｗｅｂページにおいて、例えば、対象のＷｅｂページの記事を投稿／閲覧／更新できるアクセス権のレベルを設定する。つまり、記事を閲覧だけできる人、投稿できる人、投稿記事に対して更新できる人等のアクセス権のレベル設定を行う。ユーザは対象のＷｅｂページにアクセスする際に、ユーザＩＤとパスワードを求める画面に対しユーザ名とパスワードを入力すると、Ｗｅｂサーバは内蔵するメモリに記憶しているアクセス権設定テーブルと照合し、アクセス権に対応した応答を行う。アクセス権設定テーブルには、例えば、ユーザＩＤ、パスワード、アクセス権のレベル、通知先の電子メールアドレス等が記載されている。
【００１３】
また、ＷｅｂサーバはＷｅｂページに投稿された記事にアクセスしたユーザＩＤを、記事が次に更新されるまでの間、Ｗｅｂサーバの内蔵するメモリに記憶している。
【００１４】
記事が更新されると、更新された記事がＷｅｂページに掲載されるとともに、更新される直前の記事にアクセスのあったユーザＩＤに対応する通知先の電子メールアドレスに、Ｗｅｂページに掲載されていた記事が更新されたことを通知するメーセージを含む電子メールがＷｅｂサーバに連動してメールサーバから自動的に送信されるようになっている。
【００１５】
以上のように、投稿者は新たな記事を投稿することなく既に登録され表示されている投稿記事の変更をしたり、あるいは、投稿記事に対して更新権限を与えられた人は誤記や表現不適切や説明不足などを発見した場合に投稿記事内容に変更を加えたり追加書込みを行う。そして、投稿記事内容が更新されたときには、更新直前の投稿記事内容の閲覧者に対して投稿内容が更新された旨の通知が電子メールにて行われる。
【００１６】
また、本願の請求項２に記載の発明は、前記アクセス権の登録ステップにおける登録情報は前記アクセス権を有する識別子、パスワード、前記アクセス権、及び前記電子メールアドレスを含むことを特徴とする請求項１に記載のネットワークを介した記事の更新方法である。
【００１７】
本願の請求項２に記載の発明によれば、アクセス権の登録ステップにおける登録情報として、例えば、Ｗｅｂサーバが内蔵するメモリにアクセス権を有する者の識別子、パスワード、前記アクセス権、及び前記識別子に対応する電子メールアドレスを対応させて記憶している。ここで、例えば、これらの登録情報は１つの対応テーブルに書き込まれていても、複数のテーブルに分けて書き込まれ互いに関係付けられていても、どちらの形式であっても構わない。
【００１８】
また、本願の請求項３に記載の発明は、前記投稿記事更新通知ステップは、前記現投稿記事の掲載期間が所定期間に達しないとき、前記現投稿記事以前の投稿記事の掲載期間を含めた合計掲載期間が前記所定期間となる時点以降の閲覧記録に記録された閲覧者の電子メールアドレスに対して電子メールにより更新のあった旨を通知することを特徴とする請求項１に記載のネットワークを介した記事の更新方法である。
【００１９】
本願の請求項３に記載の発明によれば、閲覧記録は現投稿記事の掲載期間が、例えば、１日で、その後すぐに次の投稿記事の更新がなされた場合、更新がなされるとともに電子メールにて変更が通知される対象となる閲覧記録に記録されている閲覧者は、１日の間に掲示された現投稿記事を閲覧した数人の閲覧者で、現投稿記事への更新前の投稿記事を閲覧した人が多人数であった場合には、これら多人数のうちのほとんどの閲覧者には更新があったことを知らせることができない。
【００２０】
このような事態を避けるための方法として本願は、これら多人数の閲覧者にも更新があったことを知らせようとするものである。例えば、所定期間を１２日間とした場合、現投稿記事が掲示された期間が１日、現投稿記事の１つ前の更新されるまでの期間が８日間、その前の投稿記事が更新されるまでの期間が３日であったとすると、現投稿記事の２つ前の更新のあった時点、すなわち現投稿記事が更新される時点から１＋８＋３＝１２日以降の閲覧者に対して更新通知の電子メールを送ろうとするものである。
【００２１】
また、本願の請求項４に記載の発明は、ネットワークを介した投稿記事の更新装置であって、投稿記事の投稿／閲覧／更新を許可するアクセス権の登録手段と、現投稿記事の閲覧記録を行う記録手段と、現投稿記事を更新するとともに前記現投稿記事が更新されたことを前記閲覧記録に記録された前記現投稿記事の閲覧者の電子メールアドレスに対して電子メールにより通知する投稿記事更新通知手段とを有することを特徴とするネットワークを介した投稿記事の更新装置である。
【００２２】
また、本願の請求項５に記載の発明は、ネットワークを介した投稿記事の更新プログラムであって、コンピュータに、投稿記事の投稿／閲覧／更新を許可するアクセス権の登録機能と、現投稿記事の閲覧記録を行う閲覧記録機能と、現投稿記事を更新するとともに前記前投稿記事が更新されたことを前記閲覧記録に記録された前記現投稿記事の閲覧者の電子メールアドレスに対して電子メールにより通知する投稿記事更新通知機能とを実現させるためのネットワークを介した投稿記事の更新プログラムである。
【発明の効果】
【００２３】
本発明によれば、アクセス権が付けられた投稿記事に対してアクセス権を有する人が更新できるようにすることにより、投稿者には気づかない他人に判りにくい表現や誤記を訂正することができ、また、１つの投稿に対しメンバーが追加書き込みをすることにより、メンバーの共通情報を有するページとして利用できる。さらに、投稿記事が更新されるとともに更新直前の投稿記事を閲覧したユーザＩＤに対し電子メールにて更新された旨の通知、さらには更新理由、更新内容を送信することにより、利用者にとって自由度のある投稿記事ページを提供できる。
【発明を実施するための最良の形態】
【００２４】
図１は、本発明の一実施形態を示す構成図である。図１において、投稿記事はインターネット２に接続された端末３からインターネット２を経由して、インターネット２に接続された投稿記事更新装置１に送られる。
【００２５】
投稿記事更新装置１は、Ｗｅｂサーバ１−１、Ｗｅｂサーバ１−１に接続されたディスク装置１−２、Ｗｅｂサーバ１−１に接続されたＭａｉｌサーバ１−３を有する。
【００２６】
ディスク装置１−２には、Ｗｅｂサーバ１−１が管理する管理情報、例えば、投稿記事／更新記事の内容保存、投稿記事へのユーザのアクセス権を記録した認証情報、ユーザの登録マスタや、投稿記事へアクセスした閲覧を記録した参照情報、他に必要なその他の情報が記憶されている。
【００２７】
Ｍａｉｌサーバ１−３は、Ｗｅｂサーバ１−１が投稿記事へアクセスした閲覧記録をもとに、所定の期間に投稿記事を閲覧した閲覧者に対し電子メールによる投稿記事が更新されたことを通知するようになっている。
【００２８】
ここで、投稿記事更新装置１は、投稿記事の更新のみならず、投稿記事の受付・登録・発信をする機能を備え、端末３のブラウザから行われる記事の投稿、インターネットに接続された端末４のブラウザによる投稿記事の閲覧ができるようになっている。端末３のブラウザにおいて行われる記事の投稿の他、端末３から電子メールにより投稿記事をＷｅｂサーバ１−１に送ることにより、Ｗｅｂサーバ１−１の有する解析プログラム（図示省略）によって内容、セキュリティ情報が解析され、取り込むべきデータであると判断されるとディスク装置１−２の内容保存の領域にデータは保存されるようにしても構わない。また、端末３のブラウザに表示されるＷｅｂサーバ１−１から発信された投稿記事のＷｅｂページへの投稿又は更新については、投稿記事のＷｅｂページにある「投稿」又は「更新」ボタンをクリックすることにより、アクセス権の有無確認の画面が表示され、ユーザＩＤ、パスワードを入力して送信すると、上記の解析プログラムによってセキュリティ情報が解析され、アクセス権有りと判断されると、投稿記事の入力或いは更新画面が表示されるので必要な内容を入力してＷｅｂサーバ１−１に送信すると投稿記事ページに反映される。
【実施例１】
【００２９】
図２に本発明のフロー図を示す。図２のフロー図に沿って、端末３のブラウザからのアクセス例を説明する。
【００３０】
端末３のブラウザから、投稿記事のＷｅｂページにアクセスして投稿情報参照をしようとすると（Ｓ０１）、承認要求の画面が表示される（Ｓ０２）。ユーザＩＤとパスワードを入力し送信操作をすると、承認要求のための情報としてＷｅｂサーバ１−１に送信される。
【００３１】
Ｗｅｂサーバ１−１が有する解析プログラムによりユーザ確認が行われ（Ｓ０３）、アクセス権が無ければ、未承認画面表示が端末３のブラウザに表示され投稿情報参照が拒否される（Ｓ０４）。アクセス権が有れば、投稿情報参照画面が端末３のブラウザに表示される（Ｓ０５）。投稿情報参照が上記のユーザＩＤによって行われたことが、ディスク装置１−２の参照情報の領域に記録される（Ｓ０６）。
【００３２】
ここで、記事の投稿あるいは投稿内容変更要求を端末３のブラウザから行わなければ（Ｓ０７）、投稿記事の表示のための画面表示が端末３のブラウザに対して行われる（Ｓ１２）。記事の投稿あるいは投稿内容変更要求を端末３のブラウザから行うと（Ｓ０７）、投稿あるいは投稿内容変更権限の有無の確認がＷｅｂサーバ１−１において行われる（Ｓ０８）。権限が無ければ端末３のブラウザに対して未承認画面表示が行われる（Ｓ１３）。権限が有れば、端末３のブラウザに表示される投稿あるいは投稿内容更新画面に必要内容を入力してＷｅｂサーバ１−１に送信すると、Ｗｅｂサーバ１−１において投稿内容保存／投稿内容修正が行われる（Ｓ０９）。投稿内容更新の場合には、同時に、所定時間内に更新前の投稿記事を参照したユーザがあったか否かの参照者確認をＷｅｂサーバ１−１はディスク装置１−２の参照情報をもとに行い（Ｓ１０）、参照したユーザが無かったときには更新された投稿内容を端末３のブラウザの画面に表示し、参照したユーザがあった場合にはＷｅｂサーバ１−１に接続されたＭａｉｌサーバ１−３に対し、投稿内容に更新があった旨の通知の電子メールを、参照したユーザの電子メールアドレスに発信する指示を行い、かつ、Ｗｅｂサーバ１−１は設定された所定時間をもとに必要の無くなったディスク装置１−２の参照情報からメール配信参照情報削除を行って（Ｓ１１）、更新された投稿内容を端末３のブラウザの画面に表示する。
【図面の簡単な説明】
【００３３】
【図１】本発明の一実施形態を示す構成図
【図２】本発明のフロー図
【符号の説明】
【００３４】
１      投稿記事更新装置
１−１  Ｗｅｂサーバ
１−２  ディスク装置
１−３  Ｍａｉｌサーバ
２      インターネット
３、４  端末
【図１】
2005332262.tif 000003
【図２】
2005332262.tif 000004